(57)【要約】【課題】暗い環境であっても、ユーザによるプロジェクタを操作するためのボタン類の位置の確認を容易にする。【解決手段】カメラは、カメラの所定機能の動作の状態を点灯状態によって示す報知用光源７３１と、所定機能とは異なる機能による動作を、ユーザの操作に基づいて指示する操作部材７１とを備え、操作部材７１は、報知用光源７３１からの光が到達可能な範囲内に配置される。【選択図】図３
2008249959.tif 000002
【特許請求の範囲】
【請求項１】
カメラの所定機能の動作の状態を点灯状態によって示す報知用光源と、
前記所定機能とは異なる機能による動作を、ユーザの操作に基づいて指示する操作部材とを備え、
前記操作部材は、前記報知用光源からの光が到達可能な範囲内に配置されることを特徴とするカメラ。
【請求項２】
請求項１に記載のカメラにおいて、
前記操作部材は、前記報知用光源の光を透過可能な透光部を有し、前記透光部を介して、前記報知用光源が発する光を外部より視認可能であることを特徴とするカメラ。
【請求項３】
請求項１に記載のカメラにおいて、
前記操作部材の周囲に配設されて、前記報知用光源からの光を透過可能な透光部をさらに備えることを特徴とするカメラ。
【請求項４】
請求項１乃至３のいずれか一項に記載のカメラにおいて、
前記報知用光源は発光色が変更可能であり、
前記報知用光源の発光状態を制御する発光制御手段をさらに備え、
前記発光制御手段は、前記動作の状態に応じて前記報知用光源の発光色を変更することを特徴とするカメラ。
【請求項５】
被写体像を撮像する撮像手段と、
画像を投影する投影手段と、
カメラの所定機能の状態を点灯状態によって示す報知用光源と、
前記報知用光源からの光が到達可能な範囲に設けられ、前記投影手段による画像の投影機能に関する動作をユーザの操作に基づいて指示する操作部材と、
前記動作の状態に応じて、前記報知用光源の発光状態を制御する発光制御手段とを備えることを特徴とするプロジェクタ付きカメラ。
【請求項６】
請求項５に記載のプロジェクタ付きカメラにおいて、
前記操作部材は、前記報知用光源の光を透過可能な透光部を有し、前記透光部を介して、前記報知用光源が発する光を外部より視認可能であることを特徴とするプロジェクタ付きカメラ。
【請求項７】
請求項５に記載のプロジェクタ付きカメラにおいて、
前記操作部材の周囲に配設されて、前記報知用光源からの光を透過可能な透光部をさらに備えることを特徴とするプロジェクタ付きカメラ。
【請求項８】
請求項５乃至７のいずれか一項に記載のプロジェクタ付きカメラにおいて、
前記発光制御部は、前記投影手段による画像の投影機能に関して動作している場合、前記画像の投影機能に関して動作していないときと比べて前記報知用光源の輝度を下げることを特徴とするプロジェクタ付きカメラ。
【請求項９】
請求項５乃至７のいずれか一項に記載のプロジェクタ付きカメラにおいて、
前記報知用光源は発光色が変更可能であり、
前記発光制御部は、前記投影手段による画像の投影機能に関して動作している場合、前記画像の投影機能に関して動作していないときは異なる発光色で前記報知用光源を点灯することを特徴とするプロジェクタ付きカメラ。
【発明の詳細な説明】
【技術分野】
【０００１】
本発明は、動作状態を光源の点灯により示すことができるカメラおよびプロジェクタ付きカメラに関する。
【背景技術】
【０００２】
従来から、プロジェクタを設け画像を投影することが可能なカメラが知られている（たとえば特許文献１）。
【特許文献１】特開２００６−２２２５４７号公報
【発明の開示】
【発明が解決しようとする課題】
【０００３】
しかしながら、画像の投影は照明を落とした暗い環境で行なわれる機会が多いので、従来の技術では、ユーザはプロジェクタを操作するためのボタン類が見えず、操作性が悪いという問題がある。
【課題を解決するための手段】
【０００４】
請求項１の発明によるカメラは、カメラの所定機能の動作の状態を点灯状態によって示す報知用光源と、所定機能とは異なる機能による動作を、ユーザの操作に基づいて指示する操作部材とを備え、操作部材は、報知用光源からの光が到達可能な範囲内に配置されることを特徴とする。
請求項２の発明は、請求項１に記載のカメラにおいて、操作部材は、報知用光源の光を透過可能な透光部を有し、透光部を介して、報知用光源が発する光を外部より視認可能であることを特徴とする。
請求項３の発明は、請求項１に記載のカメラにおいて、操作部材の周囲に配設されて、報知用光源からの光を透過可能な透光部をさらに備えることを特徴とする。
請求項４の発明は、請求項１乃至３のいずれか一項に記載のカメラにおいて、報知用光源は発光色が変更可能であり、報知用光源の発光状態を制御する発光制御手段をさらに備え、発光制御手段は、動作の状態に応じて報知用光源の発光色を変更することを特徴とする。
請求項５の発明によるプロジェクタ付きカメラは、被写体像を撮像する撮像手段と、画像を投影する投影手段と、カメラの所定機能の状態を点灯状態によって示す報知用光源と、報知用光源からの光が到達可能な範囲に設けられ、投影手段による画像の投影機能に関する動作をユーザの操作に基づいて指示する操作部材と、動作の状態に応じて、報知用光源の発光状態を制御する発光制御手段とを備えることを特徴とする。
請求項６の発明は、請求項５に記載のプロジェクタ付きカメラにおいて、操作部材は、報知用光源の光を透過可能な透光部を有し、透光部を介して、報知用光源が発する光を外部より視認可能であることを特徴とする。
請求項７の発明は、請求項５に記載のプロジェクタ付きカメラにおいて、操作部材の周囲に配設されて、報知用光源からの光を透過可能な透光部をさらに備えることを特徴とする。
請求項８の発明は、請求項５乃至７のいずれか一項に記載のプロジェクタ付きカメラにおいて、発光制御部は、投影手段による画像の投影機能に関して動作している場合、画像の投影機能に関して動作していないときと比べて報知用光源の輝度を下げることを特徴とする。
請求項９の発明は、請求項５乃至７のいずれか一項に記載のプロジェクタ付きカメラにおいて、報知用光源は発光色が変更可能であり、発光制御部は、投影手段による画像の投影機能に関して動作している場合、画像の投影機能に関して動作していないときは異なる発光色で報知用光源を点灯することを特徴とする。
【発明の効果】
【０００５】
本発明によれば、報知用光源からの光の到達可能な範囲内に操作部材を配置したので、暗い環境であってもプロジェクタ操作に用いる操作部材を視認することができる。
【発明を実施するための最良の形態】
【０００６】
図面を参照しながら、本発明の実施の形態によるプロジェクタ付き電子カメラを説明する。図１（ｃ）に示すプロジェクタ付き電子カメラ１のボディ１０には、撮影レンズ１０１、閃光窓１０２、およびプロジェクタ投射窓１０３が設けられている。図１（ａ）に示すプロジェクタ付き電子カメラ１のボディ１０の上面には、レリーズボタン１０４、プロジェクタボタン７１、メインボタン７２、パワーインジケータ７３が設けられている。プロジェクタボタン７１は、後述するカメラモードと投影モードとの間でプロジェクタ付き電子カメラ１の動作モードを切替えるための操作部材である。パワーインジケータ７３は、プロジェクタ付き電子カメラ１の電源がオンとなり動作中であることを示す表示部材である。
【０００７】
図１（ｂ）に示すボディ１０の背面には、液晶表示器１０５、操作部材１０６、閃光装置用インジケータ１０７が設けられている。操作部材１０６は、撮影レンズ１０１の倍率や、再生表示画像および投影画像の拡大率を変更する拡大縮小ボタン１０６ａ、種々の撮影モードを選択するためのモードボタン１０６ｂ、画像の撮影と撮影画像の再生表示とを切り換える切換ボタン１０６ｃ、各種の設定をするためのメニュー画面を液晶表示部１０５に表示するためのメニューボタン(MENU)１０６ｄ、記録媒体に記録された画像を削除する削除ボタン１０６ｅ、投影画像や液晶表示器１０５に再生表示する画像を選択するためのロータリーセレクタ１０６ｆ、およびメニュー画面上での設定などを決定するOKボタン１０６ｇなどを含む。
【０００８】
プロジェクタ付き電子カメラ１は、後述するプロジェクタ装置（プロジェクタ部）３０（図２）が搭載されている。この電子カメラ１は正面に配設されるスクリーンなどに向けて、画像などの情報をプロジェクタ投射窓１０３から投影する。そのため、プロジェクタ付き電子カメラ１は、プロジェクタ装置３０により画像を投影するための投影モードと、画像を撮影するためのカメラモードとを動作モードとして有する。
【０００９】
カメラモードは、被写体像を撮影し、撮影した画像データをメモリカードなどで構成されるメモリカードに撮影画像ファイルとして保存する、もしくは撮影済みの画像データを記録媒体（たとえば、メモリカードや内部メモリ）から読み出すなどして、画像データによる再生画像を液晶表示器１０５に再生表示する動作モードである。撮影開始指示は、レリーズボタン１０４の押下操作に応じて出力される操作信号が対応する。
【００１０】
投影モードは、撮影済みの画像データを記録媒体（たとえば、メモリカードや内部メモリ）から読出すなどして、画像データによる再生画像をプロジェクタ部３０によってプロジェクタ投射窓１０３から投影する動作モードである。なお、投影モードが設定されたとき、プロジェクタ部３０は、記録媒体以外から読出された画像データや、プロジェクタ付き電子カメラ１の外部から供給される画像データによる再生画像を投影することも可能に構成されている。
【００１１】
図２、３を参照して、プロジェクタ付き電子カメラ１の内部構成について説明する。図２（ａ）は図１（ａ）のＡ−Ａ線断面図であり、図２（ｂ）は図１（ａ）のＢ−Ｂ線断面図である。プロジェクタ付き電子カメラ１のボディ１０の内部には、撮像部２０、プロジェクタ部３０、閃光装置部４０、電池室ユニット５０、メモリカードスロット６０、スイッチ部７０、回路基板８０、および外部コネクタ９０が設けられている。撮像部２０には、たとえば被写体像を撮像するための光学系、ＣＣＤやＣＭＯＳなどで構成される撮像素子などの撮影に用いられる各種装置が配置される。回路基板８０には、撮像素子から出力される画像信号に対して各種の処理を施すための回路や、プロジェクタ付き電子カメラ１の全ての動作を制御するための制御回路８１などが実装されている。
【００１２】
閃光装置部４０はキセノン管などの発光体を備え、発光体から発せられた光を照明光窓１０２からプロジェクタ付き電子カメラ１の正面に向けて射出する。電池室ユニット５０は、着脱可能に装着されたバッテリーの電力を、ボディ１０内の各部に出力する。メモリカードスロット６０は着脱可能なメモリカードを装着して、プロジェクタ付き電子カメラ１とメモリカードとの間で各種の情報、データの送受信をするためのインタフェースである。外部コネクタ９０は、制御回路８１の指令により、たとえばインターフェイスケーブル（不図示）を介して接続される他の外部機器（たとえば、クレードル、プリンタ、フォトデータストレージ装置など）との間でデータの送受信を行なう。
【００１３】
プロジェクタ部３０は、投影光学系３０１、液晶パネル３０２、ＬＥＤ光源３０３、集光光学系３０４、ＰＢＳ（偏光ビームスプリッタ）ブロック３０５、屈曲プリズム３０６、および放熱板３０７を備える。液晶パネル３０２は、赤、緑、青のフィルターが形成された複数の画素から構成され、カラーの画像を生成するように駆動される反射型液晶素子（ＬＣＯＳ）である。
【００１４】
ＬＥＤ光源３０３は、白色光を射出する白色ＬＥＤであり、制御回路８１からの投影指令に基づいて白色光を光軸Ｌ１に沿って射出する。集光光学系３０４は、ＬＥＤ光源３０３から射出されて入射した白色光をほぼ平行光にしてＰＢＳブロック３０５へ向けて射出する光学系である。
【００１５】
ＰＢＳブロック３０５は、集光光学系３０４から射出される照明光の光軸Ｌ１に対して４５度の角度をなす偏光分離部３０５ａを有する偏光ビームスプリッタである。ＰＢＳブロック３０５の右側面には液晶パネル３０２が配設される。ＰＢＳブロック３０５の面３０５ｂには、たとえば、黒色処理などの無反射処理が施される。
【００１６】
投影光学系３０１は、液晶パネル３０２で形成された画像を投影するために設けられた光学系であり、ボディ１０の下部から光軸Ｌ２に沿って進行する投影光を上部に設けられた屈曲プリズム３０６へ導く。屈曲プリズム３０６は、投射光学系３０１から入射した投影光の光軸を光軸Ｌ３へ偏向して、プロジェクタ投射窓１０３から投影画像を投影させる。放熱板３０７は、ＬＥＤ光源３０３の左側面に設けられ、ＬＥＤ光源３０３の発光に伴い発生する熱をボディ１０の外部に放出する。
【００１７】
図３の模式図を用いて、スイッチ部７０について説明する。スイッチ部７０には、上述したプロジェクタボタン７１、メインボタン７２、およびパワーインジケータ７３の表面が、ボディ１０の表面を貫通して外部に露出するように配置されている。プロジェクタボタン７１およびメインボタン７２の直下の基板７４上には、プロジェクタスイッチ７１ｓおよびメインスイッチ７２ｓがそれぞれ実装される。
【００１８】
パワーインジケータ７３は、ＬＥＤ７３１、およびＬＥＤ保護窓７３２を備える。ＬＥＤ７３１は、基板７４上に配置され、図示しない配線により電気的に接続された制御回路８１の制御により、点消灯および発光色が制御される。ＬＥＤ７３１は、後述するメインボタン７２がオン操作されプロジェクタ付き電子カメラ１がカメラモードで動作している際に、制御回路８１によりたとえば緑色で点灯される。また、ＬＥＤ７３１は、後述するプロジェクタボタン７１がオン操作されプロジェクタ部３０が動作すると、制御回路８１によりたとえば橙色で点灯される。メインボタン７２が操作され電源がオフされると、ＬＥＤ７３１は制御回路８１により消灯される。
【００１９】
ＬＥＤ保護窓７３２は、アクリルなどの透明または半透明の材料で形成され、上記ＬＥＤ７３１の直上に、その表面がボディ１０から露出するように設けられている。その結果、ＬＥＤ７３１がボディ１０外部の塵や水分などから保護されるとともに、ＬＥＤ保護窓７３２を透過した光の色（緑または橙）により、ユーザはプロジェクタ付き電子カメラ１の動作モードを把握することができる。
【００２０】
プロジェクタボタン７１は、上記ＬＥＤ７３１から射出される光の到達可能範囲（主要光照射可能範囲）内に設けられ、アクリルなどの透明もしくは半透明の光を透過する素材で形成されたモーメンタリー動作型のボタンである。ユーザによりプロジェクタボタン７１が押下操作されプロジェクタスイッチ７１ｓがオンするごとに、制御回路８１により、電子カメラ１の動作モードが投影モードとカメラモードとの間で切り替わる。プロジェクタボタン７１はＬＥＤ７３１から射出された光により透過照明されるので、プロジェクタ付き電子カメラ１の電源がオン状態でカメラモードの場合は緑色、投影モードの場合は橙色に照明される。その結果、画像を投影する場合のように暗い室内でプロジェクタ付き電子カメラ１を使用するときでも、ユーザはプロジェクタボタン７１を視認して、その位置を把握することができる。
【００２１】
メインボタン７２は、非光透過性の素材で形成されたモーメンタリー動作型のボタンである。ユーザの操作に応じてメインボタン７２が押下操作され、メインスイッチ７２ｓがオンするごとに、制御回路８１により電源のオン、オフが切り替わる。ボディ１０の内側には遮光部材７２１が設けられている。遮光部材７２１は、ＬＥＤ７３１から射出した光がメインボタン７２とボディ１０の隙間から漏れることを防ぐとともに、外部の塵や水分などがボディ１０内部に入り込むことを防いでいる。
【００２２】
上記構成のプロジェクタ付き電子カメラ１の動作について説明する。上述したようにユーザによるメインボタン７２の押下操作により電源がオンされると、制御回路８１は、カメラモードを起動して撮像部２０を駆動するとともに、ＬＥＤ７３１を緑色点灯させる。その結果、プロジェクタボタン７１が緑色に照明される。
【００２３】
さらにユーザによるプロジェクタボタン７１の押下操作により制御回路８１がカメラモードから投影モードに切替えると、液晶表示器１０５が消灯するとともにプロジェクタ部３０が起動する。さらに、制御回路８１はＬＥＤ７３１の発光色を橙色に変更する。その結果、プロジェクタボタン７１が橙色に照明される。
【００２４】
プロジェクタ部３０が起動されると、ＬＥＤ光源３０３は、制御回路８１から入力した駆動電流に応じた明るさの光を集光光学系３０４へ射出する。集光光学系３０４はＬＥＤ光をほぼ平行光にしてＰＢＳブロック３０５へ向けて射出する。
【００２５】
ＰＢＳブロック３０５へ入射された偏光光束（たとえばＰ偏光）は、ＰＢＳブロック３０５を透過して液晶パネル３０２を照明する。液晶パネル３０２の液晶層を透過する光は、液晶層を光軸Ｌ１に沿って図２（ａ）の右向きに進行し、液晶パネル３０２の反射面で反射された後、液晶層を光軸Ｌ１に沿って図２（ｂ）の左向きに進行して液晶パネル３０２から射出され、ＰＢＳブロック３０５へ再度入射される。電圧が印加された液晶層は位相板として機能するので、ＰＢＳブロック３０５へ再度入射される光は、Ｓ偏光である変調光とＰ偏光である非変調光との混合光である。
【００２６】
ＰＢＳブロック３０５は、再入射された光束のうちＳ偏光成分である変調光のみを偏光分離部３０５ａで光軸Ｌ２の方向へ反射（折り曲げる）する。光軸Ｌ２に沿って進行する投影光は、投影光学系３０１を介して屈曲プリズム３０６に導かれ、その進行方向が光軸Ｌ３に沿った方向へ偏向されて、プロジェクタ投射窓１０３からボディ１０の正面に向けて投射される。
【００２７】
投影モードで動作中にプロジェクタボタン７１が押下操作され、制御回路８１が投影モードからカメラモードに切替えると、プロジェクタ部３０は動作を停止し、撮像部２０は起動する。さらに、制御回路８１はＬＥＤ７３１の発光色を緑色に変更する。その結果、プロジェクタボタン７１は再び緑色に照明される。
【００２８】
以上で説明した実施の形態のプロジェクタ付き電子カメラによれば、以下の作用効果が得られる。
（１）カメラの電源オン状態を示すインジケータ７３を照明するＬＥＤ７３１から射出される光の到達可能な範囲内に、プロジェクタ部３０を起動するためのプロジェクタボタン７１を配置した。そして、プロジェクタボタン７１は光を透過可能な素材で形成されるようにした。したがって、プロジェクタボタン７１をＬＥＤ７３１からの光により照明させることができるので、暗い室内で画像を投影する場合に、ユーザはプロジェクタボタン７１を確実に把握することができる。さらに、プロジェクタボタン７１の点灯用に専用の光源を設ける必要がなくなるので、ボディ１０内部のスペースを他部材配置のために確保することができる。
【００２９】
（２）カメラ電源がオン、かつカメラモードの場合はＬＥＤ７３１が緑色点灯し、投影モードが設定されプロジェクタ部３０が起動している場合は橙色点灯するようにした。この結果、プロジェクタボタン７１の照明色を、プロジェクタ部３０の起動の有無に応じて、緑色と橙色との間で変更できる。したがって、ユーザはプロジェクタボタン７１の照明色によりプロジェクタ部３０の起動の有無を確認することができるので、利便性が向上する。さらに、投影モードが設定されている最中は、プロジェクタボタン７１は色温度の低い橙色で照明されるので、プロジェクタ部３０による画像の投影を妨げることがなくなる。
【００３０】
以上で説明した実施の形態によるプロジェクタ付き電子カメラ１を以下のように変形できる。
（１）カメラモードと投影モードとの間でＬＥＤ７３１の発光色を切替えてプロジェクタボタン７１の照明色を切替えるものに代えて、光源の輝度を切替える、または発光色と輝度とを切替えるようにしてもよい。この場合、制御回路８１はプロジェクタボタン７１の押下操作に伴いオン信号を入力すると、ＬＥＤ７３１の駆動電流値を下げて、ＬＥＤ７３１が発光する光の輝度を下げればよい。この結果、プロジェクタボタン７１が照明されることにより投影モードにおける画像の投影を妨げることがなくなる。なお、画像の投影を妨げるものでなければ、光源を点滅させるようにしてもよい。
【００３１】
（２）パワーインジケータ７３を点灯させるための光源を用いてプロジェクタボタン７１を照明するものに限らず、他の用途に用いる光源の光を用いてプロジェクタボタン７１を照明してもよい。たとえば、メモリカードと通信中であることを示すカードアクセス用インジケータ、閃光装置が発光可能であることを示す閃光装置用インジケータ、外部機器と通信中であることを示す通信用インジケータなどに用いられる光源の光を用いることができる。この場合、プロジェクタボタン７１は、上記光源からの主要光が照射可能な範囲内に配置される。なお、プロジェクタ部３０のＬＥＤ光源３０３が発光する光を用いて、プロジェクタボタン７１を照明してもよい。
【００３２】
（３）投影モードにおいて、所定の機能が動作の状態となったときに、ＬＥＤ７３１の発光色を切替えるようにしてもよい。この場合、投影画像の調整、たとえば焦点状態、光量、台形補正などが行なわれているときに、ＬＥＤ７３１の発光色を、たとえば赤→青→黄などのように変更することができる。
【００３３】
（４）プロジェクタボタン７１を非光透過性の素材で形成してもよい。この場合、図３（ｂ）に示すように、プロジェクタボタン７１をＬＥＤ７３１で照明するために、プロジェクタボタン７１の周囲を光透過性のアクリルなどの素材を用いた透光部材７１１を設ければよい。この結果、透光部材７１１を透過した光によりプロジェクタボタン７１が照明されるので、暗い場所でもボタン位置を視認することができる。
【００３４】
（５）プロジェクタボタン７１を照明させるものに加えて、投影モードで使用する各種操作ボタン、たとえば画像送りボタン、投影画像のズームボタン、および画像調整（焦点調節、光量、画角、台形補正）ボタンなどを透過照明させてもよい。この場合においても、上記の各種操作ボタンはアクリルなどの光透過性の素材で形成され、各種インジケータ点灯用光源からの光が到達可能な範囲内に配置される。なお、プロジェクタ付き電子カメラ１を机上などに載置して使用する場合は、ユーザ操作に伴いプロジェクタ付き電子カメラ１の載置位置が前後方向に変化して、投影画像の焦点状態がずれる可能性がある。このような事態を防ぐために、上記の投影モードで使用する各種操作ボタンはボディ１０の上面に配置されることが好ましい。
【００３５】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００３６】
【図１】本発明の実施の形態によるプロジェクタ付き電子カメラの外観図であり、（ａ）は上面図を示し、（ｂ）は背面図を示し、（ｃ）は正面図を示す。
【図２】実施の形態のプロジェクタ付き電子カメラの内部構成を説明する断面図であり、（ａ）は図１（ａ）のＡ−Ａ線断面図を示し、（ｂ）は図１（ａ）のＢ−Ｂ線断面図を示す。
【図３】実施の形態のプロジェクタ付き電子カメラのスイッチ部の構成を説明する図であり、（ａ）は実施の形態におけるスイッチ部の構成を示し、（ｂ）は変形例におけるスイッチ部の構成を示す。
【符号の説明】
【００３７】
７１  プロジェクタボタン    ７２    メインボタン
７３  インジケータ          ７３１  ＬＥＤ
８１  制御回路
【図１】
2008249959.tif 000003
【図２】
2008249959.tif 000004
【図３】
2008249959.tif 000005